(57)【特許請求の範囲】
【請求項１】
プレス加工により成形されたスライダー胴体(10,10a)と、取付軸部(7) を有する引手(6) と、停止爪体(20,50,60,80) と、前記停止爪体(20,50,60,80) と一体に又は別体に設けられ、前記停止爪体(20,50,60,80) を弾性的に押圧する弾性片(29,59,69,89) と、前記停止爪体(20,50,60,80) 及び前記弾性片(29,59,69,89) を内部に収容して前記スライダー胴体(10,10a)に取り付けられるカバー体(30,40,70,90) とを有し、前記停止爪体(20,50,60,80) は、前記引手(6) の前記取付軸部(7) を跨いで配される本体部(21,51,61,81) と、前記本体部(21,51,61,81) の一端側から延出し、前記スライダー胴体(10,10a)のエレメント案内路(16)上のファスナーエレメントに係合可能な爪部(22,52,62,82) とを有する停止機構付きスライダー(1,2,4) であって、
前記停止爪体(20,50,60,80) は、前記本体部(21,51,61,81) の他端側から延出して上翼板(11)に近接する方向に延び、更に前記スライダー胴体(10,10a)の肩口方向側に湾曲又は屈曲した延出部(23,53,63,83) と、前記延出部(23,53,63,83) の先端部から突出し、前記カバー体に保持される突出部(24,54,64,84) とを有し、
前記延出部(23,53,63,83) は、前記スライダー胴体(10,10a)の前記上翼板(11)の上面に接触し、前記停止爪体(20,50,60,80) の回動時に支点となる回動支点部を有し、
前記上翼板(11)の前記回動支点部が接触する接触面が少なくとも平坦面(11a) に形成され、
前記カバー体(30,40,70,90) は、前記停止爪体(20,50,60,80) の前記突出部(24,54,64,84) を保持する爪体保持部(35,45,75,95) を有してなり、
更に前記上翼板(11)の上面側に凹部(11c) が配され、
前記停止爪体(20,60,80)は、前記本体部(21,61,81)の他端側から垂設され、前記上翼板(11)の前記凹部(11c) 内に挿入される挿入片(25,65,85)を有してなる、
ことを特徴とする停止機構付きスライダー。
【請求項２】
前記平坦面(11a) は、前記上翼板(11)の主要表面である請求項１記載の停止機構付きスライダー。
【請求項３】
前記停止爪体(20,50,60,80) の前記突出部(24,54,64,84) は、前記カバー体(30,40,70,90) の前記爪体保持部(35,45,75,95) 内に収容保持されてなる請求項１又は２記載の停止機構付きスライダー。
【請求項４】
前記延出部(23,53,63,83) 及び前記突出部(24,54,64,84) がそれぞれ一対ずつ配され、一対の前記延出部(23,53,63,83) 間、及び一対の前記突出部(24,54,64,84) 間に、前記挿入片(25,65,85)が配されてなる請求項１〜３のいずれかに記載の停止機構付きスライダー。
【請求項５】
前記延出部(23,53,63,83) の先端部は、前記引手(6) の非操作時に前記上翼板(11)から離間してなる請求項１〜４のいずれかに記載の停止機構付きスライダー。
【請求項６】
前記停止爪体(20,50,80)の前記突出部(24,54,84)は、前記延出部(23,53,83)の先端部からスライダー幅方向に突出し、前記爪体保持部(35,45,95)は、前記カバー体(30,40,90)におけるカバー本体部(31,41,91)の左右側壁部に形成されてなる請求項１〜５のいずれかに記載の停止機構付きスライダー。
【発明の詳細な説明】
【技術分野】
【０００１】
本発明は、停止爪体による停止機構を備えたスライドファスナー用スライダーに関し、特に、スライダー胴体がプレス加工により成形されており、且つ、停止機構を安定して作用させることが可能なスライダーに関する。
【背景技術】
【０００２】
スライドファスナーは、例えば衣服や鞄類の開口部などに取り付けられており、スライダーを摺動させて左右のエレメント列を噛合又は分離させることにより、衣服や鞄類の開閉を容易に行うことが可能となる。また、スライドファスナーに用いられるスライダーの中には、エレメント列に対してスライダーを停止させたときに、そのスライダーの停止状態を保持することが可能な停止機構を有するものが知られている。【０００３】
このような停止機構付きのスライダーの例が、例えば実公昭４５−７８４２号公報（特許文献１）や実開昭５３−６１２０３号公報（特許文献２）に開示されている。
例えば特許文献１に記載されている停止機構付きスライダー１００は、図１６に示したように、スライダー胴体１１０と、取付軸部１０７を有する引手１０６と、スライダー胴体１１０に組み付けられる停止爪体１２０と、引手１０６の取付軸部１０７を保持するとともに停止爪体１２０を内部に収容するカバー体１３０とを有している。【０００４】
このスライダー１００において、スライダー胴体１１０は、上下翼板１１１，１１２と、上下翼板１１１，１１２の前端部間を連結する案内柱１１３と、上下翼板１１１，１１２の左右側縁部に配されたフランジ部１１４と、上翼板１１１に立設された前方及び後方支柱１１５，１１６と、前方及び後方支柱１１５，１１６からスライダー長さ方向に沿って内側へ延設された前後の隆起部１１７とを有している。【０００５】
また、スライダー胴体１１０の上下翼板１１１，１１２間にはエレメント案内路が形成されており、上翼板１１１には、上翼板１１１をスライダー１００高さ方向に貫通する爪孔１１８と、停止爪体１２０の一部を嵌入させる凹部１１９とが設けられている。更に、スライダー胴体１１０の前端部（案内柱１１３の前面側）と後端部には、カバー体１３０の一部を嵌入するための嵌入部がそれぞれ形成されている。【０００６】
停止爪体１２０は、後方に向けて上り傾斜するように配された弾性片部１２１と、前端部の下端に配され、スライダー１００幅方向に沿って外側に向けて延設された左右の突片部１２２と、後端部に垂設された爪部１２３とを有している。停止爪体１２０の爪部１２３は、スライダー胴体１１０の爪孔１１８を介してエレメント案内路内に進出可能に形成されている。また、この停止爪体１２０は、スライダー胴体１１０における前後の隆起部１１７に被せられるとともに、左右の突片部１２２がスライダー胴体１１０の凹部１１９内に挿入されることにより、スライダー胴体１１０に対して位置決めされている。【０００７】
カバー体１３０は、箱状のカバー本体部と、カバー本体部の前端部及び後端部から垂設された第１及び第２取付片部１３１，１３２とを有しており、カバー本体部には、引手１０６の取付軸部１０７を保持するための切欠き状の引手保持部（空間部）が形成されている。【０００８】
このカバー体１３０は、カバー本体部内にスライダー胴体１１０の前方及び後方支柱１１５，１１６を収容するとともに、当該カバー体１３０の第１及び第２取付片部１３１，１３２をスライダー胴体１１０の嵌入凹部に嵌入させることにより、スライダー胴体１１０に取り付けられている。【０００９】
このような特許文献１のスライダー１００を組み立てる場合には、スライダー胴体１１０の上翼板１１１上に引手１０６の取付軸部１０７を載置し、更にその上に停止爪体１２０を載置する。このとき、停止爪体１２０をスライダー胴体１１０の隆起部１１７に被せるように配置するとともに、停止爪体１２０の突片部１２２をスライダー胴体１１０の凹部１１９に挿入することによって、停止爪体１２０がスライダー胴体１１０に対して位置決めされる。また、停止爪体１２０の爪部１２３は、スライダー胴体１１０の爪孔１１８に挿入される。【００１０】
その後、引手１０６の取付軸部１０７及び停止爪体１２０が載置されたスライダー胴体１１０にカバー体１３０を装着することにより、停止機構を備えたスライダー１００が組み立てられる。更に、このように組み立てられた特許文献１のスライダー１００では、弾性片部１２１によって押圧される停止爪体１２０の可動範囲がスライダー胴体１１０の隆起部１１７によって規制されるため、エレメント案内路に進入する爪部１２３の進入長さが一定の大きさに制限されている。【００１１】
このため、特許文献１のスライダー１００では、引手１０６の非操作時に、停止爪体１２０の爪部１２３がエレメント案内路に所定の長さで進入してファスナーエレメントと係合することにより、スライダー１００の停止機構を有効に働かせることができる。また、引手１０６を引っ張ってスライダー１００を摺動させるときは、引手１０６の取付軸部１０７により停止爪体１２０が持ち上げられて爪部１２３がエレメント案内路から退出するため、スライダー１００をエレメント列に沿って円滑に摺動させることができる。【００１２】
一方、特許文献２に記載されている停止機構付きスライダー１４０は、図１７及び図１８に示したように、スライダー胴体１５０と、取付軸部１４７を有する引手１４６と、スライダー胴体１５０に組み付けられる停止爪体１４２と、停止爪体１４２を弾性的に押圧する舌片部を備えた弾性部材１４９と、引手１４６の取付軸部１４７を保持するとともに停止爪体１４２及び弾性部材１４９を内部に収容するカバー体１６０とを有している。【００１３】
特許文献２において、スライダー胴体１５０は、上下翼板１５１，１５２と、上下翼板１５１，１５２の前端部間を連結する案内柱１５３と、上下翼板１５１，１５２の左右側縁部に配されたフランジ部１５４とを有している。【００１４】
このスライダー胴体１５０は、金属板をプレス加工することにより成形されており、上翼板１５１の上面側には、例えば前述の特許文献１のスライダー胴体１１０に配されている前方及び後方支柱１１５，１１６や前後の隆起部１１７のようなダイカスト成形等によって形成される突起状の部位を設けることが難しい。【００１５】
また、当該スライダー胴体１５０の上下翼板１５１，１５２間にはエレメント案内路が形成されており、上翼板１５１には、上翼板１５１をスライダー高さ方向に貫通する爪孔１５５と、停止爪体１４２の一端部を嵌入させる凹部１５６とが形成されている。更に、スライダー胴体１５０の前端部には、カバー体１６０の一部を挿入して係合させるための凹溝部１５７が配されている。【００１６】
停止爪体１４２は、引手１４６の取付軸部１４７を跨ぐように配される本体部と、本体部の一端部（前端部）に配され、スライダー胴体１５０の凹部１５６に嵌入する嵌入部と、本体部の他端部（前端部）に配され、スライダー胴体１５０の爪孔１５５に挿入される爪部１４３とを有している。【００１７】
カバー体１６０は、箱状のカバー本体部１６１と、カバー本体部１６１の前端部から垂設された第１取付片部１６２と、カバー本体部１６１の後端部から垂設された第２取付片部１６３とを有しており、カバー本体部１６１には、引手１４６の取付軸部１４７を保持するための切欠き状の引手保持部（空間部）が形成されている。また、カバー本体部１６１の前壁部内面と後壁部内面とには、弾性部材１４９を係着して保持する保持溝部１６４が形成されている。【００１８】
このような特許文献２のスライダー１４０を組み立てる場合には、先ず、カバー体１６０の内部に弾性部材１４９を取り付けて保持する。次に、スライダー胴体１５０の上翼板１５１上に引手１４６の取付軸部１４７と停止爪体１４２とを順番に載置する。このとき、停止爪体１４２の嵌入部をスライダー胴体１５０の凹部１５６に嵌入させることにより、スライダー胴体１５０に対する停止爪体１４２の位置決めを行う。また、停止爪体１４２の爪部１４３をスライダー胴体１５０の爪孔１５５に挿入する。【００１９】
続いて、引手１４６の取付軸部１４７及び停止爪体１４２が載置されたスライダー胴体１５０に、弾性部材１４９を保持したカバー体１６０を被せて、更に、カバー体１６０における第２取付片部１６３の先端部を内側に曲げるように加締めることにより、カバー体１６０をスライダー胴体１５０に取り付ける。これにより、特許文献２のスライダー１４０が組み立てられる。【００２０】
特許文献２のスライダー１４０では、上述のようにスライダー胴体１５０が金属板のプレス加工により成形されて、上翼板１５１の上面側に突起状の部位が設けられていない場合でも、スライダー胴体１５０に対して停止爪体１４２を所定の位置に取り付けることが可能であるため、スライダー１４０の組立て作業を容易に行うことができる。【００２１】
また、特許文献２のスライダー１４０では、停止爪体１４２が、上翼板１５１の凹部１５６に嵌入した部位を支点として回動（又は揺動）可能に保持されているため、引手１４６を操作して停止爪体１４２を持ち上げることにより、停止爪体１４２の爪部１４３をエレメント案内路から容易に退出させることができる。また、引手１４６の操作終了時には、停止爪体１４２が弾性部材１４９から押圧力（付勢力）を受けて爪部１４３をエレメント案内路に進入させるため、停止機構を働かせることができる。
【先行技術文献】
【特許文献】
【００２２】
【特許文献１】実公昭４５−７８４２号公報
【特許文献２】実開昭５３−６１２０３号公報
【発明の概要】
【発明が解決しようとする課題】
【００２３】
特許文献２に記載されているスライダー１４０のようにスライダー胴体１５０がプレス加工により成形されている場合、そのプレス成形されたスライダー胴体１５０は、銅合金などの金属材料により構成されていることが多く、例えば亜鉛合金などの金属材料をダイカスト成形して得られるスライダー胴体に比べて耐食性に優れるという利点を有する。また、プレス成形されたスライダー胴体１５０は、一般的に応力を受けたときに撓み易いため、スライダー胴体１５０に欠けや割れといった破損が生じ難く、耐久性にも優れている。【００２４】
その一方、スライダー胴体１５０をプレス成形する場合、上述したように、例えば特許文献１のスライダー胴体１１０に配されているような前方及び後方支柱１１５，１１６や前後の隆起部１１７などの突起状の部位を上翼板１５１に設けることが難しい。このため、プレス成形される従来のスライダー胴体１５０では、突起状の部位を設ける代わりに、上翼板１５１の上面側に凹部１５６が設けられている。【００２５】
このように凹部１５６が上翼板１５１に設けられていれば、例えばスライダー１４０の組立て時に、上翼板１５１の凹部１５６に停止爪体１４２の一部を嵌入させることによって、スライダー１４０に対する停止爪体１４２の位置決めを行うことができ、また、組立て後のスライダー１４０においては、停止爪体１４２の位置がずれないように停止爪体１４２を保持できる。更に、停止爪体１４２の爪部１４３をエレメント案内路に対して進入又は退出させるときには、上翼板１５１の凹部１５６に嵌入した停止爪体１４２の前端部を支点として停止爪体１４２を回動させることができる。【００２６】
しかし、このようにプレス成形されたスライダー胴体１５０は、例えばダイカスト成形されたスライダー胴体に比べて寸法精度や形状精度が低く、複数のスライダー胴体１５０をプレス成形した場合に、各スライダー胴体１５０間にて、パンチプレスにより上翼板１５１に形成される凹部１５６の形状や寸法にバラツキが生じることがある。【００２７】
このように上翼板１５１の凹部１５６の形状や寸法にバラツキが生じる場合、スライダー１４０の組立て時に、停止爪体１４２を上翼板１５１の凹部１５６に十分に嵌入することができず、スライダー胴体１５０に対する停止爪体１４２の位置や姿勢が不安定になることがあり、停止機構の不良や故障を生じさせる要因となっていた。【００２８】
また、停止爪体１４２が上翼板１５１の凹部１５６に嵌入されていても、上翼板１５１の凹部１５６の形状や寸法にバラツキが生じている場合には、停止爪体１４２の動き（揺動）が阻害されることがあった。【００２９】
例えば、上翼板１５１に形成した凹部１５６の形状が歪んでいる場合などでは、スライダー１４０の引手１４６を操作して停止爪体１４２の爪部１４３をエレメント案内路から退出させたときに、停止爪体１４２において上翼板１５１の凹部１５６に嵌入して支点となる部分が当該凹部１５６に引っ掛かり易くなる。この場合、その停止爪体１４２の引っ掛かった状態が弾性部材１４９から付勢力を受けることにより保持されてしまい、停止爪体１４２の動きが固まる（停止爪体１４２が動かなくなる）ことがあった。【００３０】
このように停止爪体１４２の動きが上翼板１５１の凹部１５６によって妨げられてしまうと、引手１４６の操作終了時に停止爪体１４２が弾性部材１４９から押圧力を受けても、停止爪体１４２の爪部１４３をエレメント案内路に進入（突出）させることができず、スライダー１４０の停止機構が働かなくなることがあった。【００３１】
また、停止爪体１４２の凹部１５６に収納される側の端部は、比較的角張っているため、その角が回動支点となった時に、凹部内で引っ掛かることによって停止爪体１４２の動きが妨げられることがあった。このようなこともスライダー１４０の停止機構が働かなくなる要因の一つであった。【００３２】
なお、例えば特許文献１に記載されているスライダー１００にあっても、停止爪体１２０の突片部１２２が上翼板１１１の凹部１１９内に嵌入している。このため、上翼板１１１に形成される凹部１１９の形状や寸法にバラツキが生じる場合には、特許文献２のスライダー１４０と同様に、引手１０６を操作して停止爪体１２０の爪部１２３をエレメント案内路から退出させたときに、停止爪体１２０の回動支点となる突片部１２２が上翼板１１１の凹部１１９とカバー体１３０との間に引っ掛かって停止爪体１２０が動かなくなり、スライダー１００の停止機構が働かなくなる虞があった。【００３３】
また、特許文献1で示されている停止爪体１２０の突片部１２２も回動支点となる部分が比較的角張っているため、停止爪体回動時にこの角が凹部１１９の一部と接触することによって、停止爪体１２０の動きが妨げられる虞があった。【００３４】
本発明は上記従来の課題に鑑みてなされたものであって、その具体的な目的は、プレス成形における加工精度の影響を受け難くするために、スライダー胴体に形成される凹部を利用することなく、スライダー胴体に対して停止爪体を所定の位置に保持するとともに停止爪体を回動させることにより停止機構を安定して働かせることが可能であり、更には、スライダーの組立て作業を円滑に行うことも可能となるスライダーを提供することにある。
【課題を解決するための手段】
【００３５】
上記目的を達成するために、本発明により提供される停止機構付きスライダーは、基本的な構成として、プレス加工により成形されたスライダー胴体と、取付軸部を有する引手と、停止爪体と、前記停止爪体と一体に又は別体に設けられ、前記停止爪体を弾性的に押圧する弾性片と、前記停止爪体及び前記弾性片を内部に収容して前記スライダー胴体に取り付けられるカバー体とを有し、前記停止爪体は、前記引手の前記取付軸部を跨いで配される本体部と、前記本体部の一端側から延出し、前記スライダー胴体のエレメント案内路上のファスナーエレメントに係合可能な爪部とを有する停止機構付きスライダーであって、前記停止爪体は、前記本体部の他端側から延出して上翼板に近接する方向に延び、更に前記スライダー胴体の肩口方向側に湾曲又は屈曲した延出部と、前記延出部の先端部から突出し、前記カバー体に保持される突出部とを有し、前記延出部は、前記スライダー胴体の前記上翼板の上面に接触し、前記停止爪体の回動時に支点となる回動支点部を有し、前記上翼板の前記回動支点部が接触する接触面が少なくとも平坦面に形成され、前記カバー体は、前記停止爪体の前記突出部を保持する爪体保持部を有してなり、更に前記上翼板の上面側に凹部が配され、前記停止爪体は、前記本体部の他端側から垂設され、前記上翼板の前記凹部内に挿入される挿入片を有してなる、ことを最も主要な特徴とするものである。
【００３６】
本発明に係る停止機構付きスライダーにおいて、前記平坦面は、前記上翼板の主要表面であることが好ましい。また、前記停止爪体の前記突出部は、前記カバー体の前記爪体保持部内に収容保持されていることが好ましい。【００３７】
この場合、前記延出部及び前記突出部がそれぞれ一対ずつ配され、一対の前記延出部間、及び一対の前記突出部間に、前記挿入片が配されていることが特に好ましい。
【００３８】
更にまた、前記延出部の先端部は、前記引手の非操作時に前記上翼板から離間していることが好ましい。
本発明の停止機構付きスライダーにおいて、前記停止爪体の前記突出部は、前記延出部の先端部からスライダー幅方向に突出し、前記爪体保持部は、前記カバー体におけるカバー本体部の左右側壁部に形成されていることが好ましい。
【発明の効果】
【００３９】
本発明者等は、プレス成形されたスライダー胴体を有する停止機構付きスライダーにて停止機構を安定して働かせるために、プレス成形の加工精度の影響を受け易い上翼板の凹部を利用せずに、スライダー胴体に対して停止爪体を所定の位置に保持するとともに停止爪体を回動させることが可能な構造について検討及び改良を重ねた結果、停止爪体の被保持部と回動支点部と別々に形成すれば良いことを見出して、本発明を完成させた。【００４０】
すなわち、本発明に係る停止機構付きスライダーは、スライダー胴体と、取付軸部を有する引手と、停止爪体と、停止爪体と一体に又は別体に設けられた弾性片と、カバー体とを有している。また、スライダー胴体はプレス成形されており、上翼板の上面側には、プレス成形による加工精度の影響を受け難い平坦面が形成されている。【００４１】
停止爪体は、本体部と、本体部の一端側から延出する爪部と、本体部の他端側から延出する延出部と、延出部の先端部から突出した突出部とを有しており、延出部は、上翼板に近接するように延びる方向からスライダー胴体の肩口方向側に湾曲又は屈曲した湾曲部又は屈曲部を備えるとともに、スライダー胴体における上翼板の平坦面に接触する回動支点部を備えている。また、突出部は、カバー体の爪体保持部内に収容保持されている。【００４２】
このように、本発明の停止爪体には、回動支点部を備えた延出部と突出部とが別々に配されており、停止爪体の突出部がカバー体の爪体保持部内に保持されることにより、例えば従来のプレス成形されたスライダー胴体のように上翼板に形成される凹部を利用しなくても、スライダー胴体に対して停止爪体を所定の位置に位置決めし、安定して保持することができる。【００４３】
また本発明のスライダーでは、停止爪体の回動支点部が上翼板の平坦面に載置されているため、引手の操作を受けて停止爪体の爪部を弾性片の付勢力に抗して持ち上げてエレメント案内路から退出させる際や、引手の操作終了時に弾性片の付勢力を受けて爪部をエレメント案内路に進入させる（戻す）際には、上翼板に形成される凹部を利用することなく、停止爪体を円滑に回動（揺動）させることができる。本発明では、このように停止爪体の動きがプレス成形による加工精度の影響を受け難くなるため、従来のスライダーのように停止爪体が上翼板の凹部に引っ掛かって停止爪体が動かなくなるという不具合が生じることを防止できる。【００４４】
更に、本発明の停止爪体は、弾性片により押圧される本体部と突出部との間に回動支点部が配されており、突出部自体は弾性片の付勢力を直接受け難く構成されている。このため、例えば停止爪体の突出部が上翼板やカバー体の爪体保持部に引っ掛かったとしても、その引っ掛かった状態が弾性片の付勢力を受けて保持（固定）されることは生じ難い。【００４５】
しかも、停止爪体の突出部と回動支点部が別々に設けられているため、たとえ停止爪体の爪部を持ち上げたときに突出部が上翼板やカバー体の爪体保持部に引っ掛かった場合でも、弾性片が停止爪体を付勢することにより、回動支点部を支点にして停止爪体の本体部を回動させて爪部をエレメント案内路に進入させることが可能である。【００４６】
すなわち、本発明のスライダーでは、プレス成形による加工精度の影響を受け易い上翼板の凹部を利用することなく、停止爪体を所定の位置に保持し、且つ、停止爪体の円滑な動きを確保することができるため、停止機構の不良や故障が発生する要因が減少し、停止爪体による停止機構を長期間に渡って安定して機能させることができる。【００４７】
このような本発明の停止機構付きスライダーにおいて、前記平坦面は、上翼板の主要表面として構成されている。ここで、上翼板の主要表面とは、上翼板の表面のうち、一番大きな面積を有する平面部分を言う。このように上翼板の主要表面となる平坦面に停止爪体の回動支点部が載置されていることにより、停止爪体の回動をより円滑に行うことが可能となる。【００４８】
また、本発明のスライダーにおいて、停止爪体の突出部は、上翼板の上面とカバー体とによりカバー体の爪体保持部内に収容保持されており、特に、爪体保持部内に遊嵌されていることが好ましい。これにより、停止爪体が回動する際に、停止爪体の突出部がカバー体の爪体保持部に引っ掛かる虞を減少又は回避することができる。【００４９】
更に、本発明のスライダーでは、上翼板の上面側に凹部が配されており、停止爪体は、本体部の他端側から垂設され、上翼板の凹部内に挿入される挿入片を有している。この場合、スライダーの組立て工程において停止爪体をスライダー胴体に載置する際に、停止爪体の挿入片を上翼板の凹部に挿入することにより、スライダー胴体に対して停止爪体を容易に位置決めできるため、スライダーの組立て作業を円滑に行うことが可能となる。【００５０】
この場合、停止爪体の延出部及び突出部がそれぞれ一対ずつ配され、一対の延出部間、及び一対の突出部間に位置するように挿入片が配されている。このように停止爪体が構成されていることにより、例えば平板状の金属板から停止爪体を形成する際に、上翼板の凹部内に挿入可能な挿入片を容易に設けることができる。【００５１】
なお、本発明のスライダーでは、上述のように、停止爪体の突出部がカバー体に保持されることにより、停止爪体が所定の位置に装着されるため、停止爪体の挿入片は、カバー体がスライダー胴体に装着されるまでの間だけ停止爪体の位置決めを行えれば良い。また、停止爪体の挿入片は、停止爪体の揺動時に上翼板の凹部に引っ掛かってしまうと、停止爪体の円滑な揺動を阻害する虞がある。このため、停止爪体の挿入片は、上翼板の凹部内に遊嵌されていること（言い換えると、浮いた状態で遊びをもって挿入されていること）が好ましい。【００５２】
更に、本発明のスライダーでは、停止爪体における延出部の先端部が、引手の非操作時に上翼板から離間して配されていることにより、爪部をエレメント案内路から退出させるように停止爪体を回動させる際に延出部の先端部が下降可能な空間部分を確保できる。また、爪部がエレメント案内路から退出したときに、延出部の先端部が上翼板に強く押し付けられて引っ掛かる虞を減少又は回避できる。このため、停止爪体の動きをより安定して確保できる。【００５３】
また、本発明のスライダーにおいて、停止爪体の突出部は、延出部の先端部からスライダー幅方向に突出し、爪体保持部は、カバー体におけるカバー本体部の左右側壁部に形成されている。このような突出部がカバー体の爪体保持部内に保持されることにより、スライダー胴体に対して、停止爪体を所定の位置に、特にスライダー長さ方向における所定の位置に安定して保持することができる。
【図面の簡単な説明】
【００５４】
【図１】本発明の実施例１に係る停止機構付スライダーが分解された状態を示す斜視図である。
【図２】同スライダーに配される停止爪体を示す側面図である。
【図３】同停止爪体の正面図である。
【図４】同スライダーに配されるカバー体を示す斜視図である。
【図５】同カバー体の側面図である。
【図６】同スライダーの側面図である。
【図７】引手の取付軸部及び停止爪体を載置したスライダー胴体に対してカバー体を装着する前の状態を示す断面図である。
【図８】スライダーの停止機構が作用している状態を示す断面図である。
【図９】スライダーの停止機構が解除されている状態を示す断面図である。
【図１０】実施例１の変形例に係るカバー体を示す斜視図である。
【図１１】本発明の実施例２に係る停止機構付スライダーの停止爪体を示す斜視図である。
【図１２】同スライダーの要部を示す断面図である。
【図１３】本発明の実施例３に係る停止機構付スライダーの停止爪体を示す斜視図である。
【図１４】同スライダーのカバー体を示す斜視図である。
【図１５】本発明の実施例４に係る停止機構付スライダーを示す断面図である。
【図１６】従来の停止機構付スライダーを示す断面図である。
【図１７】従来の別の停止機構付スライダーを示す斜視図である。
【図１８】同スライダーの断面図である。
【発明を実施するための形態】
【００５５】
以下、本発明の好適な実施の形態について、実施例を挙げて図面を参照しながら詳細に説明する。なお、本発明は、以下で説明する実施形態に何ら限定されるものではなく、本発明と実質的に同一な構成を有し、かつ、同様な作用効果を奏しさえすれば、多様な変更が可能である。例えば、本発明において、スライダーを構成する各構成部品の材質は特に限定されるものではなく、任意に変更することが可能である。
【実施例１】
【００５６】
図１は、本実施例１に係る停止機構付スライダーが分解された状態を示す斜視図である。また、図２及び図３は、同スライダーに配される停止爪体を示す側面図及び正面図であり、図４及び図５は、同スライダーに配されるカバー体を示す斜視図及び側面図である。更に、図６は、組み立てられた状態のスライダーの側面図である。【００５７】
なお、以下の説明において、スライダーの前後方向とは、スライダーの摺動方向に平行な方向（スライダーの長さ方向）を指し、左右のエレメント列を噛合させるように摺動させる方向を前方（肩口側方向）とし、左右のエレメント列を分離させるように摺動させる方向を後方（後口側方向）とする。【００５８】
また、スライダーの上下方向とは、スライダーの高さ方向を指し、スライダー胴体に対して引手が取り付けられる側の方向を上方とし、その反対側の方向を下方とする。スライダーの左右方向とは、スライダーの摺動方向に直交する方向で、スライダーの幅方向を指すものとする。【００５９】
本実施例１に係るスライダー１は、スライドファスナーの構成部品の一つであり、エレメント列５に対してスライダー１を停止させたときにその停止状態を保持することが可能な停止機構付きのスライダー１として構成されている（図８を参照）。このスライダー１は、スライダー胴体１０と、取付軸部７を一端に有する引手６と、弾性片２９が一体に配された停止爪体２０と、スライダー胴体１０に装着されるカバー体３０とを有している。【００６０】
この場合、スライダー胴体１０、引手６、及びカバー体３０は、銅合金などの金属板をプレス加工することによって、また、停止爪体２０は、ステンレスなどの金属板をプレス加工することによって、所定の形状に成形されている。なお、本発明において、スライダー胴体１０はプレス成形されているものに限られるが、引手６、停止爪体２０、及びカバー体３０の成形方法については特に限定されるものではない。【００６１】
スライダー胴体１０は、上翼板１１と、上翼板１１から離間して配された下翼板１２と、上下翼板１１，１２の前端部（肩口側端部）間を連結する案内柱１３と、上下翼板１１，１２の左右側縁に配されたフランジ部１４とを有している。このスライダー胴体１０の前端部には、上翼板１１の上面側から案内柱１３の前面側を介して下翼板１２の下面側にかけて、カバー体３０の後述する前方取付片部３２を係着させるための係着凹陥部１５が配されている。【００６２】
また、スライダー胴体１０の前端部には、案内柱１３を間に挟んで左右の肩口が形成されており、スライダー胴体１０の後端部には後口が形成されている。更に、上下翼板１１，１２間には、左右の肩口と後口とを連通するＹ字形状のエレメント案内路１６が形成されている。【００６３】
上翼板１１の上面側には、平坦面１１ａが主要表面として配されており、この平坦面１１ａは、金属板に対するプレス加工が直接施されずに形成された面である。また、上翼板１１には、停止爪体２０の後述する爪部２２を挿入する爪孔１１ｂと、爪孔１１ｂよりも前方に配され、停止爪体２０の後述する挿入片２５を挿入する凹部１１ｃとが形成されている。更に、上翼板１１の後端部には、カバー体３０の後述する後方取付片部３３が加締められて係着する後方係着部１１ｄが配されている。【００６４】
本実施例１の停止爪体２０は、図２及び図３に示したように、下方に開口するように曲げられた形状を有する本体部２１と、本体部２１の後端から垂設され、上翼板１１の爪孔１１ｂに挿入される爪部２２と、本体部２１の前端から延設され、且つ、前方に向けて湾曲した左右一対の延出部２３と、各延出部２３の先端部から左右方向の外側へ向けて突出した一対の突出部２４と、左右の延出部２３間に挟まれるように本体部２１の前端から垂設された挿入片２５と、本体部２１の上面側に延出した弾性片２９とを有している。【００６５】
この停止爪体２０の本体部２１は、スライダー長さ方向に沿うように延びる中間部と、中間部の前端から湾曲して延びる前端部と、中間部の後端から湾曲して延びる後端部とを有しており、この本体部２１の内側には、引手６の取付軸部７が収容される空間部分が形成されている。【００６６】
爪部２２は、本体部２１の後端部よりも幅寸法を小さくして、本体部２１の後端部と平行に下方へ向けて延びている。この爪部２２の先端部には、爪部２２の幅寸法を先端に向けて漸減させる漸減部が形成されている。【００６７】
左右の延出部２３は、挿入片２５を間に挟んで本体部２１の前端から上翼板１１に近接する下方側に延び、更に、湾曲部２３ａを介して前方側（スライダー胴体１０の肩口方向側）に向けて延びている。この延出部２３（特に、湾曲部２３ａ）は、停止爪体２０をスライダー胴体１０に取り付けてスライダー１を構成したときに、上翼板１１の平滑な平坦面１１ａに接触しており、延出部２３における湾曲部２３ａの外周面（湾曲面）は、上翼板１１の平坦面１１ａに接触する接触面となる。【００６８】
また、延出部２３（特に延出部２３の湾曲面）は、後述するように停止爪体２０を持ち上げて爪部２２をエレメント案内路１６から退出させる際や、爪部２２をエレメント案内路１６内に進入させる際に、上翼板１１の平坦面１１ａに接触して停止爪体２０の回動（揺動）を支える回動支点部として機能する。【００６９】
更に、延出部２３の先端部は、スライダー１にて停止機構が働いているときに（言い換えると、引手６の非操作時に）、上翼板１１の上面（平坦面１１ａ）から上方に離間して浮いた状態となるように（図８を参照）、延出部２３の湾曲部２３ａから先端縁に向けて上り傾斜状に形成されている。【００７０】
これにより、スライダー１の引手６が操作されていないときには、延出部２３の先端部と上翼板１１との間に間隙部分が設けられるため、この間隙部分を、停止爪体２０が爪部２２を持ち上げるように回動する際における延出部２３の可動領域として利用できる。従って、停止爪体２０の回動が円滑化されるとともに、爪部２２を持ち上げたときに、延出部２３の先端部が上翼板１１に強く押し付けられて引っ掛かる可能性を低減できる。【００７１】
更に、この延出部２３の先端部には、スライダー幅方向に沿って延出部２３から外側へ向けて突出した左右一対の突出部２４が設けられており、これらの左右の突出部２４は、カバー体３０の後述する爪体保持部３５の位置に対応して配されている。【００７２】
停止爪体２０の挿入片２５は、左右一対の延出部２３間及び左右一対の突出部２４間に位置するように、本体部２１の前端から下方に向けて延設されている。この挿入片２５は、本体部２１の前端から後方側へ向けて斜めに下り傾斜する下り傾斜部分と、下り傾斜部から屈曲部を介して垂設された垂設部分とを有しており、スライダー１を組み立てたときに、挿入片２５の先端部（すなわち、垂設部分の先端部）が、上翼板１１の凹部１１ｃに挿入されるように構成されている。【００７３】
特に本実施例１のスライダー１において、挿入片２５の先端部は、停止爪体２０が揺動する際に上翼板１１の凹部１１ｃに引っ掛かることを防ぐために、凹部１１ｃ内に挿入されていても、引手６の操作時及び非操作時において上翼板１１の凹部１１ｃの内周面及び底面に接することなく、凹部１１ｃ内で浮いた状態で保持されていることが好ましい。換言すれば、引手操作時においては、挿入片２５が停止爪体２０の支点とならないようにすることが好ましい。【００７４】
弾性片２９は、停止爪体２０と一体に形成されており、本体部２１の後端部から中間部にかけて湾曲している部分から上方へ分岐するように延設されているとともに、本体部２１に接続している接続側の端部から先端部に向けて上り傾斜するように配されている。このように弾性片２９が停止爪体２０と一体的に構成されていることにより、スライダーの構成部品点数を減少させることができるため、スライダーの組立作業が簡略化されるとともに、スライダーのコスト削減を図ることができる。【００７５】
この弾性片２９は、当該弾性片２９の先端部がカバー体３０の内壁上面に摺接しながら撓むことにより、爪部２２がスライダー胴体１０の爪孔１１ｂを介してエレメント案内路１６内に進入するように停止爪体２０（特に停止爪体２０の本体部２１）を弾性的に押圧している。この場合、停止爪体２０を揺動させても弾性片２９の先端部がカバー体３０の内壁上面に引っ掛かり難くするために、弾性片２９におけるカバー体３０の内壁上面に摺接する先端部上面は、湾曲面状に形成されている。【００７６】
この場合、本実施例１の停止爪体２０は、突出部２４は、延出部２３における回動支点部よりも前方側の位置に配されており、突出部２４が弾性片２９の押圧力（付勢力）を直接受け難く構成されている。このため、例えば突出部２４が上翼板１１の平坦面１１ａやカバー体３０の後述する爪体保持部３５に引っ掛かることを減らし、仮に引っ掛かったとしても、その引っ掛かった状態が保持され難くなっている。【００７７】
また、本実施例１の停止爪体２０は、図８に示したように、延出部２３の回動支点部（上翼板１１の平坦面１１ａに接触する接触部）の位置と、弾性片２９の先端部がカバー体３０の内壁上面に接触する接触部の位置とがスライダー長さ方向に相対的にずれており、両者を結ぶ直線２８がスライダー高さ方向に対して斜めに傾斜するように構成されている。【００７８】
このように停止爪体２０が構成されていることにより、例えば延出部２３の回動支点部の位置と弾性片２９の先端部がカバー体３０に接触する接触部の位置とがスライダー長さ方向に近づいている場合（両者を結ぶ直線２８がスライダー高さ方向に対してより平行に近づく場合）に比べて、後述するように爪部２２をエレメント案内路１６から退出させるように停止爪体２０を持ち上げたときに、当該停止爪体２０が上翼板１１とカバー体３０の内壁上面との間に挟まれて引っ掛かることを生じ難くすることができる。【００７９】
本実施例１のカバー体３０は、図４及び図５に示したように、下方（底面側）が開口した箱状のカバー本体部３１と、カバー本体部３１の前端部及び後端部から垂設された前方取付片部３２及び後方取付片部３３とを有しており、カバー本体部３１の内部に停止爪体２０を収容するように構成されている。【００８０】
また、カバー本体部３１の左右側壁部には、引手６の取付軸部７を保持するための切欠き状の引手保持部３４と、停止爪体２０の突出部２４を保持するための切欠き状の爪体保持部３５とが形成されている。この場合、カバー本体部３１の引手保持部３４は、引手保持部３４のスライダー長さ方向における寸法が上方に向けて漸増するように形成されている。【００８１】
カバー本体部３１の爪体保持部３５は、図６に示したように、爪体保持部３５のスライダー高さ方向における寸法が前方に向けて漸増するように形成されており、且つ、爪体保持部３５内に、停止爪体２０の突出部２４を収容保持するように、言い換えると、遊嵌するように形成されている。【００８２】
カバー体３０の前方取付片部３２は、スライダー胴体１０に設けた係着凹陥部１５に対応した形状を有しており、当該前方取付片部３２の左右側縁部には、前方取付片部３２の幅寸法を部分的に小さくする括れ部３２ａが設けられている。カバー体３０の後方取付片部３３の前面には、スライダー幅方向に沿って形成された凹溝部３３ａが配されている。これにより、カバー体３０をスライダー胴体１０に取り付けるために後方取付片部３３をスライダー胴体１０に加締める際に、後方取付片部３３を所定の位置で安定して且つ容易に屈曲させることが可能となる。【００８３】
次に、本実施例１のスライダー１を組み立てる手順について説明する。
組立工程を行う前に、金属板をプレス加工することによって所定の形状に成形された一組のスライダー胴体１０、引手６、停止爪体２０、及びカバー体３０を準備する。【００８４】
先ず、引手６の取付軸部７をスライダー胴体１０の上翼板１１に載置する。このとき、引手６の取付軸部７は、上翼板１１の凹部１１ｃと爪孔１１ｂとの間に、スライダー幅方向に沿うようにして上翼板１１の上面（平坦面１１ａ）に載置される。【００８５】
続いて、引手６の取付軸部７が載置された上翼板１１に、図７に示したように、停止爪体２０を載置する。なお、図７では、スライダー胴体１０と停止爪体２０との位置関係を判り易く表示するために、引手６の取付軸部７は仮想線で表示されている。【００８６】
このとき、停止爪体２０の本体部２１が引手６の取付軸部７を跨ぐようにして停止爪体２０を上翼板１１に載置するとともに、停止爪体２０の延出部２３を上翼板１１の平坦面１１ａに接触させる。また、停止爪体２０の爪部２２を上翼板１１の爪孔１１ｂに挿入するとともに、停止爪体２０の挿入片２５を上翼板１１の凹部１１ｃに挿入することにより、スライダー胴体１０に対する停止爪体２０の相対的な位置を一時的に仮決めする。【００８７】
引手６の取付軸部７及び停止爪体２０をスライダー胴体１０に載置した後、当該スライダー胴体１０にカバー体３０を被せる。このとき、停止爪体２０の本体部２１をカバー体３０のカバー本体部３１内に収容するとともに、引手６の取付軸部７をカバー体３０の引手保持部３４内に保持し、また、停止爪体２０の突出部（被係止部）２４をカバー体３０の爪体保持部３５内に保持する。【００８８】
本実施例１の場合、上述のように停止爪体２０の挿入片２５が上翼板１１の凹部１１ｃに挿入されて停止爪体２０の位置決めがなされているため、カバー体３０をスライダー胴体１０に対して位置を合わせながら被せることにより、停止爪体２０の本体部２１がカバー本体部３１内に収容されるとともに、停止爪体２０の突出部２４がカバー体３０の爪体保持部３５内に安定して保持される。従って、本実施例１のスライダー１では、カバー体３０をスライダー胴体１０に被せる際に、停止爪体２０の位置調整をその都度行う必要がなく、スライダー１の組立て作業を簡単に勝つ円滑に行うことができる。【００８９】
カバー体３０をスライダー胴体１０に被せた後、カバー体３０における後方取付片部３３の先端部を前方に折り曲げるように押圧して塑性変形させる加締め加工を行う。このとき、後方取付片部３３の前面には上述のように凹溝部３３ａが形成されているため、後方取付片部３３を所定の位置で容易に折り曲げることができる。【００９０】
また、このように後方取付片部３３を塑性変形させると同時に、スライダー胴体１０の前端側の一部をカバー体３０の前方取付片部３２に向けて押圧して折り曲げることにより、カバー体３０の前方取付片部３２をスライダー胴体１０に固定する加締め加工を行う。これにより、図６及び図８に示したような本実施例１のスライダー１が組み立てられる。【００９１】
なお、本発明のスライダーでは、カバー体をスライダー胴体に固定する手段は、上述のような加締め加工を行う構造に限定されるものではなく、例えば、カバー体に可撓性を備えさせてスナップ形式でカバー体をスライダー胴体に固定する構造を採用することも可能である。【００９２】
上述のようにして組み立てられた本実施例１のスライダー１は、形状が安定している上翼板１１の平坦面１１ａとカバー体３０とにより停止爪体２０の突出部２４がカバー体３０の爪体保持部３５内に保持されているため、停止爪体２０が、スライダー胴体１０に対して、所定の位置に、特にスライダー長さ方向における所定の位置に、安定して組み付けられている。なお、停止爪体２０のスライダー幅方向における位置は、停止爪体２０の本体部２１がカバー体３０のカバー本体部３１の左右内壁面間に配されていること、及び、停止爪体２０の爪部２２が上翼板１１の爪孔１１ｂに挿入されていることにより規制されている。【００９３】
また、本実施例１のスライダー１は、引手６が操作されておらず、停止爪体２０が引手６の取付軸部７によって持ち上げられていない状態のときには、図８に示したように、停止爪体２０が弾性片２９によって付勢され、爪部２２をスライダー胴体１０の爪孔１１ｂを介してエレメント案内路１６に進出させている。これにより、スライダー１は、スライドファスナーに用いられた場合に、スライダー１をスライドファスナーのエレメント列５に対して停止させた位置で保持する停止機構を働かせることができる。【００９４】
一方、引手６を操作してスライダー１を摺動させるときには、図９に示したように、停止爪体２０が、引手６の取付軸部７によって弾性片２９の付勢力に抗して上方に持ち上げられるため、上翼板１１の平坦面１１ａに接触する延出部２３の接触面を支点として、爪部２２をエレメント案内路１６から退出させるように停止爪体２０全体が回動する。これにより、スライダー１の停止機構が解除され、スライダー１をスライドファスナーのエレメント列５に沿って自由に摺動させることができる。【００９５】
このとき、本実施例１のスライダー１では、上述のように、停止爪体２０が、延出部２３の回動支点部と弾性片２９の先端部がカバー体３０の内壁上面に接触する接触部とを結ぶ直線２８がスライダー高さ方向に対して斜めに傾斜するように構成されているため、停止爪体２０が持ち上げられても、当該停止爪体２０が上翼板１１とカバー体３０の内壁上面との間に挟まれて引っ掛かる虞を低くすることができる。【００９６】
また、図８、図９に示したように、延出部２３の回動支点となる位置が引手操作前後において後方側から前方側へ移動している。このように、回動支点を停止爪の動きに合わせて移動できるような構成としているので、延出部２３の回動支点部と弾性片２９の先端部がカバー体３０の内壁上面に接触する接触部とを結ぶ直線２８の傾斜の角度が操作前後であまり変わらないようにしており、その結果、停止爪体２０が持ち上げられても、当該停止爪体２０が上翼板１１とカバー体３０の内壁上面との間に挟まれて引っ掛かる虞を低くすることができる。【００９７】
その後、スライダー１の摺動操作が終了したときには、引手６の取付軸部７が停止爪体２０を持ち上げる力が作用しなくなるため、図８に示したように、停止爪体２０が弾性片２９によって付勢され、上翼板１１の平坦面１１ａに接触する延出部２３の接触面を支点として、爪部２２をエレメント案内路１６に進入させるように停止爪体２０全体が回動する。これにより、停止機構を再び働かせることができる。【００９８】
また本実施例１では、停止爪体２０が持ち上げられたときに、停止爪体２０の突出部２４が仮に上翼板１１やカバー体３０の爪体保持部３５に引っ掛かったとしても、突出部２４と延出部２３の回動支点部とが別々に設けられているため、停止爪体２０が弾性片２９によって付勢されることにより、爪部２２がエレメント案内路１６に進入するように停止爪体２０を回動させることができる。【００９９】
すなわち、本実施例１のスライダー１では、停止爪体２０を、上翼板１１の平坦面１１ａに接触する接触面を支点として、爪部２２がエレメント案内路１６から退出する方向及び爪部２２がエレメント案内路１６に進入する方向に円滑に揺動させることができる。このように、停止爪体２０の揺動が、上翼板１１にてプレス成形による加工精度の影響を受け難い平坦面１１ａと停止爪体２０との接触面を支点として行われることにより、停止爪体２０を上翼板１１に引っ掛からせることなく円滑に揺動させることができるため、停止機構の不良や故障が発生し難くなり、停止機構を長期間に渡って安定して働かせることができる。【０１００】
なお、本発明では、上述の実施例１にて説明したスライダー１の形態に限定されるものではなく、必要に応じて任意に設計変更することが可能である。例えば、スライダーの外観品質（見栄え）を高めるために、停止爪体を外部からなるべく見え難いように隠したい場合などでは、例えば図１０に示したようなカバー体４０と、突出部のスライダー幅方向における寸法（スライダー幅方向への突出量）を小さくした図示しない停止爪体とを用いて変形例に係るスライダーを構成することも可能である。【０１０１】
ここで、図１０に示したカバー体４０では、箱状のカバー本体部４１の左右側壁部に、引手６の取付軸部７を保持する引手保持部４４と、停止爪体の突出部を保持する爪体保持部４５とが配されているものの、この爪体保持部４５は、カバー本体部４１の左右側壁部をエレメント幅方向に貫通するような切欠き状の孔部の形態を有しておらず、左右側壁部の内壁面側に凹設された窪み（凹部）により構成されている。【０１０２】
このような爪体保持部４５を有するカバー体４０と、突出部の左右方向への突出量が実施例１よりも小さい停止爪体とを有する変形例のスライダーであっても、停止爪体の突出部が、カバー体４０の爪体保持部４５内に保持されるため、停止爪体が、スライダー胴体に対して所定の位置に安定して保持される。【０１０３】
また、この変形例のスライダーでは、前述の実施例１のスライダー１と同様に、上翼板の平坦面と停止爪体の延出部との接触面を停止爪体の揺動を支える支点として使用できるため、停止機構の不良や故障が発生し難い。更に、カバー体４０の爪体保持部４５内に保持される停止爪体の突出部が、カバー体４０の左右側壁部に隠されて外部から見えなくなるため、スライダーの外観品質も向上する。
【実施例２】
【０１０４】
図１１は、本実施例２に係るスライダーに配される停止爪体を示す斜視図であり、図１２は、本実施例２に係るスライダーの要部を示す断面図である。
なお、本実施例２並びに後述する実施例３及び４においては、前述の実施例１に係るスライダーと異なる構成について主に説明することとし、前述の実施例１に係るスライダーと実質的に同じ構成を有する部品及び部材については同じ符号を用いて表すことによって、その説明を省略することとする。【０１０５】
本実施例２に係るスライダー２は、スライダー胴体１０ａと、取付軸部７を一端に有する引手６と、弾性片５９が一体に配された停止爪体５０と、スライダー胴体１０ａに装着されるカバー体３０とを有している。
なお、本実施例２における引手６及びカバー体３０は、前述の実施例１に係るスライダー１の場合と実質的に同様に構成されており、また、本実施例２におけるスライダー胴体１０ａは、上翼板１１に凹部が形成されていないことを除いては、前述の実施例１におけるスライダー胴体１０と同様に構成されている。【０１０６】
本実施例２の停止爪体５０は、下方に開口した形状を有する本体部５１と、本体部５１の後端から垂設された爪部５２と、本体部５１の前端から延設され、且つ、前方に向けて湾曲した左右一対の延出部５３と、各延出部５３の先端部から左右方向の外側へ向けて突出した突出部５４と、本体部５１の上面側に延出した弾性片５９とを有しており、当該停止爪体５０は、前述の実施例１の停止爪体２０に配されている挿入片２５が省かれていること以外は、前述の実施例１の停止爪体２０と同様に構成されている。【０１０７】
また、本実施例２のスライダー２を組み立てる場合には、引手６の取付軸部７をスライダー胴体１０ａの上翼板１１に載置し、更に、当該上翼板１１に停止爪体５０を載置する。このとき、本実施例２の上翼板１１には、実施例１のような凹部１１ｃが形成されておらず、また、停止爪体５０には挿入片２５が配されていないものの、停止爪体５０の爪部５２が上翼板１１の爪孔１１ｂに挿入されることにより、スライダー胴体１０ａに対する停止爪体５０の相対的なおおよその位置が一時的に仮決めされる。その後、カバー体３０をスライダー胴体１０ａに被せて加締め加工を行うことによって、スライダー２が組み立てられる。【０１０８】
このような本実施例２のスライダー２では、スライダー胴体１０ａの上翼板１１に実施例１のような凹部１１ｃが形成されておらず、また、停止爪体５０に実施例１のような挿入片２５が配されていないため、スライダー胴体１０ａ及び停止爪体５０の構造を実施例１のスライダー１の場合に比べて簡略化できる。また、本実施例２のスライダー２に実施例１のような凹部１１ｃや挿入片２５が設けられていなくても、停止爪体５０の突出部５４が、上翼板１１の平坦面１１ａとカバー体３０とによりカバー体３０の爪体保持部３５内に収容保持されているため、停止爪体５０が、スライダー胴体１０ａの所定位置に安定して組み付けられている。【０１０９】
更に、本実施例２のスライダー２では、実施例１のスライダー１と同様に、停止爪体５０が、上翼板１１にてプレス成形による加工精度の影響を受け難い平坦面と停止爪体５０の延出部５３との接触面を支点として揺動するため、停止機構の不良や故障が発生し難く、停止機構を長期間に渡って安定して働かせることができる。
【実施例３】
【０１１０】
図１３は、本実施例３に係るスライダーの停止爪体を示す斜視図であり、図１４は、同スライダーのカバー体を示す斜視図である。
本実施例３に係るスライダーは、スライダー胴体１０と、取付軸部７を一端に有する引手６と、弾性片６９が一体に配された停止爪体６０と、スライダー胴体１０に装着されるカバー体７０とを有している。なお、本実施例３のスライダーに用いられるスライダー胴体１０及び引手６は、前述の実施例１に係るスライダー１の場合と同様に構成されている。【０１１１】
本実施例３の停止爪体６０は、下方に開口した形状を有する本体部６１と、本体部６１の後端から垂設された爪部６２と、本体部６１の前端から延設され、且つ、前方に向けて湾曲した左右一対の延出部６３と、各延出部６３の先端部から前方へ向けて突出した左右の突出部６４と、本体部６１の前端から垂設された挿入片６５と、本体部６１の上面側に延出した弾性片６９とを有している。この停止爪体６０は、突出部６４の突出方向が前方に向いていること以外は、前述の実施例１の停止爪体２０と同様に構成されている。【０１１２】
本実施例３のカバー体７０は、下方が開口した箱状のカバー本体部７１と、カバー本体部７１の前端部及び後端部から垂設された前方取付片部７２及び後方取付片部７３とを有している。また、カバー本体部７１の左右側壁部には、引手６の取付軸部７を保持するための切欠き状の引手保持部７４が形成されており、カバー本体部７１の前側壁部には、停止爪体６０の突出部６４を保持するための切欠き状の爪体保持部７５が形成されている。【０１１３】
この場合、爪体保持部７５は、爪体保持部７５内に停止爪体６０の突出部６４を遊嵌するように（言い換えると、空間的な余裕をもって収容保持するように）形成されている。また、前方取付片部７２の左右側縁部には、幅寸法を部分的に小さくする括れ部７２ａが設けられており、後方取付片部７３の前面には、スライダー幅方向に沿って形成された凹溝部７３ａが設けられている。【０１１４】
このような構成を有する本実施例３のスライダーを組み立てる場合には、引手６の取付軸部７をスライダー胴体１０の上翼板１１に載置し、更に、当該上翼板１１に停止爪体６０を載置する。このとき、停止爪体６０の延出部６３を上翼板１１の平坦面１１ａに接触させる。また、停止爪体６０の爪部６２を上翼板１１の爪孔１１ｂに挿入するとともに、停止爪体６０の挿入片６５を上翼板１１の凹部１１ｃに挿入することにより、停止爪体６０の位置が仮決めされる。その後、カバー体７０をスライダー胴体１０に被せて加締め加工を行うことによって、スライダーが組み立てられる。【０１１５】
このようにして組み立てられた本実施例３のスライダーは、カバー体７０の爪体保持部７５により停止爪体６０の突出部６４が保持されているため、停止爪体６０が、スライダー胴体１０に対して、スライダー幅方向における所定の位置に安定して組み付けられている。なお、停止爪体６０のスライダー長さ方向における位置は、停止爪体６０の爪部６２が上翼板１１の爪孔１１ｂに挿入されていること、及び、停止爪体６０の挿入片６５がカバー体７０の凹部１１ｃに挿入されていることにより規制されている。【０１１６】
更に、本実施例３のスライダーでは、実施例１及び２のスライダー１，２と同様に、停止爪体６０が、上翼板１１にてプレス成形による加工精度の影響を受け難い平坦面１１ａと停止爪体６０の延出部６３との接触面を支点として揺動するため、停止機構の不良や故障が発生し難く、停止機構を長期間に渡って安定して働かせることができる。
【実施例４】
【０１１７】
図１５は、本実施例４に係るスライダーを示す断面図である。
本実施例４に係るスライダー４は、スライダー胴体１０と、取付軸部７を一端に有する引手６と、爪部８２を有する停止爪体８０と、スライダー胴体１０に装着されるカバー体９０と、停止爪体８０とは別体に形成された弾性片（弾性部材）８９とを有している。なお、本実施例４におけるスライダー胴体１０及び引手６は、前述の実施例１に係るスライダー１の場合と同様に構成されている。【０１１８】
本実施例４の停止爪体８０は、下方に開口した形状を有する本体部８１と、本体部８１の後端から垂設された爪部８２と、本体部８１の前端から延設された左右一対の延出部８３と、各延出部８３の先端部から左右方向の外側へ向けて突出した突出部８４と、左右の延出部８３間に挟まれるように本体部８１の前端から垂設された挿入片８５とを有しており、この停止爪体８０は、前述の実施例１の停止爪体２０に一体に形成された弾性片２９が省かれていること以外は、前述の実施例１の停止爪体２０と同様に構成されている。【０１１９】
本実施例４のカバー体９０は、下方が開口した箱状のカバー本体部９１と、カバー本体部９１の前端部及び後端部から垂設された前方取付片部９２及び後方取付片部９３とを有している。また、カバー本体部９１の左右側壁部には、引手６の取付軸部７を保持する引手保持部９４と、停止爪体８０の突出部８４を保持する爪体保持部９５とが形成されている。更に、カバー本体部９１の前側内壁面及び後側内壁面には、弾性片８９を保持するための弾性片保持溝９６が形成されている。【０１２０】
本実施例４の弾性片８９は、停止爪体８０を弾性的に押圧するようにカバー体９０に組み付けられている。この弾性片８９は、カバー体９０に組み付けられる弾性片本体部８９ａと、弾性片本体部８９ａの天井部から分岐して形成された弾性押圧部８９ｂとを有しており、弾性押圧部８９ｂは、停止爪体８０の爪部８２がスライダー胴体１０の爪孔１１ｂを介してエレメント案内路１６内に進入するように停止爪体８０を付勢している。【０１２１】
このような構成を有する本実施例４のスライダー４を組み立てる場合には、先ず、カバー体９０のカバー本体部９１内に弾性片８９を取り付けて保持する。
具体的には、弾性片本体部８９ａを撓ませるように弾性片８９に対して応力を与えながら、当該弾性片８９をカバー体９０のカバー本体部９１内に挿入し、更に、弾性片８９の弾性片本体部８９ａがカバー本体部９１の天井面（内壁上面）に接触するように弾性片８９を押し込む。これにより、弾性片本体部８９ａの前端縁及び後端縁が、カバー本体部９１の弾性片保持溝９６の位置に達すると、弾性片本体部８９ａが弾性復帰して弾性片本体部８９ａの前端縁及び後端縁がカバー本体部９１の弾性片保持溝９６に嵌着するため、弾性部材がカバー本体部９１内に保持される。【０１２２】
また、弾性片８９をカバー体９０に取り付ける一方で、スライダー胴体１０の上翼板１１上に、引手６の取付軸部７と停止爪体８０とを前述の実施例１の場合と同様の手順で載置する。その後、弾性片８９を保持しているカバー体９０を、引手６の取付軸部７及び停止爪体８０が載置されたスライダー胴体１０に被せて加締め加工を行う。これによって、本実施例４のスライダー４が組み立てられる。【０１２３】
このようにして組み立てられた本実施例４のスライダー４では、上翼板１１の平坦面１１ａとカバー体９０とにより停止爪体８０の突出部８４がカバー体９０の爪体保持部９５内に保持されているため、停止爪体８０が、スライダー胴体１０に対して所定の位置に安定して組み付けられている。【０１２４】
また、本実施例４のスライダー４において、引手６が操作されておらず、停止爪体８０が引手６の取付軸部７によって持ち上げられていない状態のときには、図１５に示したように、停止爪体８０が弾性片８９によって付勢され、爪部８２をスライダー胴体１０の爪孔１１ｂを介してエレメント案内路１６に進出させている。これにより、スライダー４は、スライドファスナーに用いられた場合に停止機構を働かせることができる。【０１２５】
また、引手６を操作してスライダー４を摺動させるときには、停止爪体８０が、引手６の取付軸部７によって弾性片８９の付勢力に抗して上方に持ち上げられるため、停止爪体８０は上翼板１１の平坦面１１ａに接触する延出部８３の接触面を支点として全体的に回動し、爪部８２をエレメント案内路１６から退出させる。これにより、スライダー４の停止機構が解除され、スライダー４をスライドファスナーのエレメント列に沿って自由に摺動させることができる。【０１２６】
その後、スライダー４の摺動操作が終了したときには、停止爪体８０が弾性片８９によって付勢され、上翼板１１の平坦面１１ａに接触する延出部８３の接触面を支点として全体的に回動し、爪部８２をエレメント案内路１６に進入させる。これにより、停止機構を再び働かせることができる。【０１２７】
すなわち、停止爪体８０と弾性片８９とが別体に形成された本実施例４のスライダー４でも、停止爪体８０を、上翼板１１の平坦面１１ａに接触する接触面を支点として、爪部８２がエレメント案内路１６から退出する方向及び爪部８２がエレメント案内路１６に進入する方向に揺動させることができるため、停止機構の不良や故障が発生し難くなり、停止機構を長期間に渡って安定して働かせることができる。
【符号の説明】
【０１２８】
１，２，４        スライダー
５                エレメント列
６                引手
７                取付軸部
１０，１０ａ        スライダー胴体
１１                上翼板
１１ａ              平坦面
１１ｂ              爪孔
１１ｃ              凹部
１１ｄ              後方係着部
１２                下翼板
１３                案内柱
１４                フランジ部
１５                係着凹陥部
１６                エレメント案内路
２０                停止爪体
２１                本体部
２２                爪部
２３                延出部
２３ａ              湾曲部
２４                突出部
２５                挿入片
２８                直線
２９                弾性片
３０                カバー体
３１                カバー本体部
３２                前方取付片部
３２ａ              括れ部
３３                後方取付片部
３３ａ              凹溝部
３４                引手保持部
３５                爪体保持部
４０                カバー体
４１                カバー本体部
４４                引手保持部
４５                爪体保持部
５０                停止爪体
５１                本体部
５２                爪部
５３                延出部
５４                突出部
５９                弾性片
６０                停止爪体
６１                本体部
６２                爪部
６３                延出部
６４                突出部
６５                挿入片
６９                弾性片
７０                カバー体
７１                カバー本体部
７２                前方取付片部
７２ａ              括れ部
７３                後方取付片部
７３ａ              凹溝部
７４                引手保持部
７５                爪体保持部
８０                停止爪体
８１                本体部
８２                爪部
８３                延出部
８４                突出部
８５                挿入片
８９                弾性片（弾性部材）
８９ａ              弾性片本体部
８９ｂ              弾性押圧部
９０                カバー体
９１                カバー本体部
９２                前方取付片部
９３                後方取付片部
９４                引手保持部
９５                爪体保持部
９６                弾性片保持溝
【図１】
0005844386.tif 000002
【図２】
0005844386.tif 000003
【図３】
0005844386.tif 000004
【図４】
0005844386.tif 000005
【図５】
0005844386.tif 000006
【図６】
0005844386.tif 000007
【図７】
0005844386.tif 000008
【図８】
0005844386.tif 000009
【図９】
0005844386.tif 000010
【図１０】
0005844386.tif 000011
【図１１】
0005844386.tif 000012
【図１２】
0005844386.tif 000013
【図１３】
0005844386.tif 000014
【図１４】
0005844386.tif 000015
【図１５】
0005844386.tif 000016
【図１６】
0005844386.tif 000017
【図１７】
0005844386.tif 000018
【図１８】
0005844386.tif 000019